(57)【要約】【課題】本発明の解決しようとする課題は、シュリンクフィルム付台紙における、従来の問題を回避し、多品種少量生産にも対応しやすいシュリンクフィルム付台紙を提案するものである。【解決手段】台紙と、台紙に固定された筒状のシュリンクフィルムと、台紙のほぼ全面を覆う正面板とから構成されるシュリンクフィルム付台紙であって、台紙に正面板を繋止するための繋止機構を備え、台紙と、台紙に固定された筒状のシュリンクフィルムは、複数の正面板に対して、共通に用いることを特徴とする。【選択図】図１
2018012512.tif 000002
【特許請求の範囲】
【請求項１】
台紙と、台紙に固定された筒状のシュリンクフィルムと、台紙のほぼ全面を覆う正面板とから構成されるシュリンクフィルム付台紙であって、台紙に正面板を繋止するための繋止機構を備えたことを特徴とするシュリンクフィルム付台紙。
【請求項２】
前記繋止機構は、台紙に形成された差込用切れ込みと、正面板に設けられ、前記差込用切れ込みに挿入可能な差込突起から構成されることを特徴とする請求項１に記載のシュリンクフィルム付台紙。
【請求項３】
前記正面板は、前記シュリンクフィルムによって固定された製品を透視可能な窓部を有することを特徴とする請求項１または２に記載のシュリンクフィルム付台紙。
【請求項４】
台紙と、台紙に固定された筒状のシュリンクフィルムは、複数の正面板に対して、共通に用いることを特徴とする請求項１〜３のいずれか１項に記載のシュリンクフィルム付台紙。
【発明の詳細な説明】
【技術分野】
【０００１】
本発明は、製品を固定して、店頭において陳列、販売するためのシュリンクフィルム付台紙に関するものである。
【背景技術】
【０００２】
表示やデザインを印刷した台紙とともに、被包装物である製品を、見えるように収納した包装形態としては、熱成形したプラスチックシートに被包装物を収納して台紙で塞ぐ、ブリスター包装や、台紙の上に被包装物を載せて、上から加熱したフィルムで直接包装する、スキンパックがある。
【０００３】
また、紙、合成樹脂、或いは金属板からなるカードに被包装物を当該して、これらを、筒状の合成樹脂の熱収縮性の皮膜（シュリンクフィルム）で被覆し、皮膜を加熱して熱収縮せしめ、全体を緊密一体的に被着させた、カード包装がある。
【０００４】
カード包装の一形態として提案されたシュリンクフィルム付台紙は、予め筒状のシュリンクフィルムを台紙に取り付けておき、製品をシュリンクフィルムに挿入して熱収縮させるだけで済むものである。しかしシュリンクフィルム付台紙においては、手作業でシュリンクフィルムを開いて、製品を挿入する必要があり、つぶされた状態のシュリンクフィルムを開くのに手間がかかっていた。
【０００５】
特許文献１に記載されたシュリンクフィルム付台紙は、この筒状のシュリンクフィルムを開く手間を省くために、台紙を前パネルと後パネルに分け、この間にシュリンクフィルムを配置し、シュリンクフィルムが前パネルと後パネルに部分接着されていることを特徴とするものである。
【先行技術文献】
【特許文献】
【０００６】
【特許文献１】特開２０１３−８２４６０号公報
【発明の概要】
【発明が解決しようとする課題】
【０００７】
特許文献１に記載されたシュリンクフィルム付台紙は、前パネルと後パネルとが連設された一枚の厚紙からなっており、このため製品毎に専用の印刷を施した台紙を準備する必要があり、多品種少量生産には不向きであった。
【０００８】
本発明の解決しようとする課題は、シュリンクフィルム付台紙における、このような問題を回避し、多品種少量生産にも対応しやすいシュリンクフィルム付台紙を提案するものである。
【課題を解決するための手段】
【０００９】
上記の課題を解決するための手段として、請求項１に記載の発明は、台紙と、台紙に固定された筒状のシュリンクフィルムと、台紙のほぼ全面を覆う正面板とから構成されるシュリンクフィルム付台紙であって、台紙に正面板を繋止するための繋止機構を備えたことを特徴とするシュリンクフィルム付台紙である。
【００１０】
また、請求項２に記載の発明は、前記繋止機構が、台紙に形成された差込用切れ込みと、正面板に設けられ、前記差込用切れ込みに挿入可能な差込突起から構成されることを特徴とする請求項１に記載のシュリンクフィルム付台紙である。
【００１１】
また、請求項３に記載の発明は、前記正面板が、前記シュリンクフィルムによって固定された製品を透視可能な窓部を有することを特徴とする請求項１または２に記載のシュリンクフィルム付台紙である。
【００１２】
また、請求項４に記載の発明は、台紙と、台紙に固定された筒状のシュリンクフィルムを、複数の正面板に対して、共通に用いることを特徴とする請求項１〜３のいずれか１項に記載のシュリンクフィルム付台紙である。
【発明の効果】
【００１３】
本発明に係るシュリンクフィルム付台紙は、商品を固定するための台紙と商品の説明を表示した正面板とを別の部品としたことにより、台紙を複数の商品で共通に使用できるようにすることができる。
【００１４】
また、従来は台紙に両面印刷を施して、商品名や使用上の注意点などを表裏に分けて表示していたが、台紙と正面板とを別部品としたことにより、それぞれ片面印刷で済むようにすることができる。
【００１５】
請求項２に記載の発明のように、繋止機構が、台紙に形成された差込用切れ込みと、正面板に設けられ、前記差込用切れ込みに挿入可能な差込突起から構成されるようにした場合には、組み立てが極めて簡単であり、生産効率が高まる。
【００１６】
請求項３に記載の発明のように、正面板が、シュリンクフィルムによって固定された製品を透視可能な窓部を有する場合には、製品を直接目視で確認することができ、店頭における販売促進効果につながる。
【図面の簡単な説明】
【００１７】
【図１】図１は、本発明に係るシュリンクフィルム付台紙の一実施態様を用いた包装体の正面図である。
【図２】図２は、図１のＡ−Ａ‘断面を示した断面模式図である。
【図３】図３は、図１に示したシュリンクフィルム付台紙において、台紙にシュリンクフィルムを接着した状態を示した平面模式図である。
【図４】図４は、図１に示したシュリンクフィルム付台紙の、正面板の展開図である。
【図５】図５は、本発明に係るシュリンクフィルム付台紙の他の実施態様における正面板の展開図である。
【発明を実施するための形態】
【００１８】
以下、図面を参照しながら、本発明に係るシュリンクフィルム付台紙について詳細に説明する。図１は、本発明に係るシュリンクフィルム付台紙１の一実施態様を用いた包装体２０の正面図である。また、図２は、図１のＡ−Ａ‘断面を示した断面模式図である。また、図３は、図１に示したシュリンクフィルム付台紙において、台紙にシュリンクフィルムを接着した状態を示した平面模式図である。また、図４は、図１に示したシュリンクフィルム付台紙の、正面板の展開図である。
【００１９】
本発明に係るシュリンクフィルム付台紙１は、台紙２と、台紙２に固定された筒状のシュリンクフィルム３と、台紙２のほぼ全面を覆う正面板４とから構成される。本発明に係るシュリンクフィルム付台紙１は、台紙２に正面板４を繋止するための繋止機構５を備えている。
【００２０】
図１〜４に示した例では、図２に示したように、繋止機構５は、台紙２に形成された差込用切れ込み６と、正面板４に設けられ、差込用切れ込み６に挿入可能な差込突起７とから構成されている。
【００２１】
図３は、台紙２にシュリンクフィルム３を接着した状態を示した平面模式図である。この例では、筒状のシュリンクフィルム３は、下面が接着剤１０によって、台紙２に固定されている。シュリンクフィルム３の中に製品９を挿入し、全体を加熱して、シュリンクフィルム３を熱収縮させることにより、製品９を台紙２に固定することができる。
【００２２】
台紙２には、正面板４を繋止するために、正面板４の差込突起７を挿入可能な差込用切れ込み６が設けられている。差込用切れ込み６は、破線で示した谷折罫線１３を折って、台紙２の両サイドを引き起こした時に、わずかに外側に突出するように両端がカギ型に形成されている。このため、差込突起７を差込用切れ込み６に挿入し易くなっている。
【００２３】
台紙２には、正面から見て上部に吊下げ孔１１が設けられており、店頭において、包装体を陳列棚のフックに引っ掛けて展示することができるようになっている。但し、この例のように、台紙２と正面板４の下端が一致するようにしておくことにより、包装体を立てて展示することも可能となる。
【００２４】
なおこの例のように、正面板４が、台紙２の上端まで届くような設計の場合、同一の商品を１本のフックに複数引っ掛けて展示する場合には、正面板４にも吊下げ孔を設けておく必要がある。
【００２５】
図４は、図１に示したシュリンクフィルム付台紙１の、正面板４の展開図である。この例では、正面板４の中央部には、窓部８が設けられており、窓部８の外側に一点鎖線で示した山折罫線１２が左右に１本づつ縦方向に設けられている。左右両端部には差込突起７が設けられており、差込突起７の付け根部分にある山折罫線１４を折り込むことにより、台紙２に設けられた差込用切れ込み６に、差込突起７を挿入することで、正面板４を台紙２に繋止することができるようになっている。
【００２６】
シュリンクフィルム３を透明な材質とした場合には、正面板４に窓部８を設けることで、包装体２０の状態で、窓部８を通して内部の製品９を目視することが可能となる。
【００２７】
図５は、本発明に係るシュリンクフィルム付台紙の他の実施態様における正面板４の展開図である。この例では、正面板４の全体の形状や、窓部８の形状が、図４に示した正面板の例とは、大きく異なるが、台紙２及びシュリンクフィルム３は、図３に示したものが共通に使用できるようになっている。
【００２８】
このように、本発明に係るシュリンクフィルム付台紙１は、異なる製品に対して、シュリンクフィルム３を固定した台紙２を共通化し、正面板４のみを製品に合わせて作ることにより、多品種少量生産に対する対応力を高めることが可能となる。
【００２９】
また、このようにした場合、台紙には例えばメーカー名、問い合わせ先など、各製品に共通の情報のみを裏面に印刷し、商品名や使用上の注意など、各製品に個別の情報は、正面板に印刷するといった区分けが可能となり、全体としての印刷面数を減らすことができ
る可能性がある。
【００３０】
本発明に係るシュリンクフィルム付台紙に用いる台紙２としては、紙、プラスチックシート、金属板などの板状のものが使用できる。紙としては、厚紙で腰のあるものであれば、特に限定されない。また、表面にアルミニウム蒸着層のあるアルミ蒸着紙なども使用できる。
【００３１】
シュリンクフィルム３には、熱で収縮するフィルムであればよく、また、筒が細くなる方向の収縮量が、筒が短くなる方向の収縮量より大きいフィルムが、シュリンク包装を行う際の収縮時に製品がシュリンクフィルムから外れ難く、本用途には適している。
【００３２】
シュリンクフィルム３の材質としては、ポリスチレン樹脂、ポリ塩化ビニル樹脂、ポリプロピレン樹脂、ポリエチレン樹脂、ポリエステル樹脂等が用いられる。これらの樹脂フィルムを太さ方向に延伸して冷却したチューブは、被包装物である製品を挿入してシュリンクトンネルなどで１００℃程度に加熱してやると、収縮して製品をしっかりと保持する働きをする。
【００３３】
シュリンクフィルム３を台紙２に固定する方法としては、粘着テープなどを用いても良いが、接着剤１０を用いるのが一般的である。接着剤１０としては、加熱した状態で塗布し、接着後は、冷却することにより、即座に固化して接着力を発揮するホットメルト型接着剤が好ましく使用できる。
【００３４】
ホットメルト型接着剤の中でも、反応型ホットメルト接着剤は、固化後に空気中の湿気と反応して硬化し、硬化後は、再加熱しても溶融しなくなるので、本発明のように、シュリンクトンネルで加熱されるような用途には最も好ましく使用できる。
【００３５】
正面板４の材質としては、通常の板紙の他、プラスチックシート、金属板など、ある程度腰のある材質であれば、特に限定されない。本発明のシュリンクフィルム付台紙においては、シュリンク包装後に正面板を取り付けることができるので、正面板４としては、特に耐熱性のない材質であっても使用することができる。
【符号の説明】
【００３６】
１・・・シュリンクフィルム付台紙
２・・・台紙
３・・・シュリンクフィルム
４・・・正面板
５・・・繋止機構
６・・・差込用切れ込み
７・・・差込突起
８・・・窓部
９・・・製品
１０・・・接着剤
１１・・・吊下げ孔
１２・・・山折罫線
１３・・・谷折罫線
１４・・・山折罫線
２０・・・包装体
【図１】
2018012512.tif 000003
【図２】
2018012512.tif 000004
【図３】
2018012512.tif 000005
【図４】
2018012512.tif 000006
【図５】
2018012512.tif 000007